(57)【特許請求の範囲】
【請求項１】
配電線路の電源側端部と自動電圧調整器の１次側端子との閉路および該自動電圧調整器の２次側端子と該配電線路の負荷側端部との閉路と、該配電線路の電源側端部および負荷側端部と当該開閉器内の中継線路両端部との閉路と、を摺動切換する第１開閉部と、
前記中継線路自体を開閉する第２開閉部と、
を備え、
少なくとも、前記配電線路に前記自動電圧調整器が連系される調整器連系モードと、該配電線路の端部同士を直接接続して該自動電圧調整器を解列させる調整器解列モードと、該配電線路の端部間を開放する線路開放モードとの３つのモードを有することを特徴とする開閉器。
【請求項２】
前記第１開閉部は、可動接点が回転摺動または直線摺動により固定接点と接触する接点で構成されていることを特徴とする請求項１に記載の開閉器。
【請求項３】
前記第２開閉部は、可動接点が回転摺動により固定接点と接触する接点、または伸縮自在に直線摺動する可動接点が固定接点と接触する接点で構成されていることを特徴とする請求項１または２に記載の開閉器。
【発明の詳細な説明】
【技術分野】
【０００１】
本発明は、自動電圧調整器を配電線路に挿入または配電線路から分断可能な開閉器に関する。
【背景技術】
【０００２】
配電系統における需要者の引込口では、電気事業法に定められた範囲に供給電圧を維持しなくてはならない。そのため電圧降下や電圧変動により供給電圧が維持すべき範囲を逸脱しないように電圧を管理する必要がある。この管理手法の１つとして、配電線路には線路中の電圧を調整し引込口の電圧を補償する自動電圧調整器（ＳＶＲ：Step Voltage Regulator、配電用自動電圧調整器、高圧自動電圧調整器とも呼ばれる。）が配設されている。
【０００３】
図１３は、自動電圧調整器の動作を説明するための説明図である。例えば同一の配電系統における任意の並行線路（フィーダ）において、自動電圧調整器１０を配設していない状態では、電力の供給源である配電用変圧器１２からの距離に応じて図１３中破線で示したように電圧降下が生じ、系統電圧が許容される最小値を逸脱してしまう。そこで、複数の自動電圧調整器１０Ａ、１０Ｂを並行線路に順次配設すると、配設された自動電圧調整器１０Ａ、１０Ｂは、図１３中実線で示されるように系統電圧を昇圧補償し、その下流においても適切な電圧範囲を維持しつつ需要者への給電を継続することができる。
【０００４】
また、このような自動電圧調整器の保守点検時、取り替え時、故障時には、需要者への給電を維持しつつ自動電圧調整器を配電線路から電気的に切り離す必要がある。かかる自動電圧調整器の切り離しは、配電線路と自動電圧調整器との間に開閉器を設け、その接続関係を変更することで為される。
【０００５】
図１４は、自動電圧調整器１０と開閉器１４（１４Ａ、１４Ｂ、１４Ｃ）との接続関係を示した回路図である。ここでは、開閉器１４Ａが配電線路１６の電源側と負荷側を開閉し、開閉器１４Ｂが開閉器１４Ａの電源側端子と自動電圧調整器１０の１次側端子とを開閉し、開閉器１４Ｃが開閉器１４Ａの負荷側端子と自動電圧調整器１０の２次側端子とを開閉する。かかる開閉器１４Ａと開閉器１４Ｂ、１４Ｃとは、排他的に開閉され、自動電圧調整器１０に給電している間は、図１４（ａ）のように、開閉器１４Ａを開放（開路）し、開閉器１４Ｂ、１４Ｃを閉路している。
【０００６】
また、自動電圧調整器１０の保守点検時や取り替え時には、図１４（ｂ）のように、開閉器１４Ａを閉路し、開閉器１４Ｂ、１４Ｃを開放することで配電線路１６と自動電圧調整器１０とが電気的に切り離され、需要者への給電を維持したまま、自動電圧調整器１０の保守点検作業を行うことができる。
【０００７】
図１５は、従来の自動電圧調整器１０および開閉器１４Ａ、１４Ｂ、１４Ｃの配置を説明するための配置図である。従来では、自動電圧調整器１０が占有体積およびその重量も大きかったので、２本の電力柱１８Ａ、１８Ｂを用いたＨ柱装柱によりその自動電圧調整器１０を支持していた。また、自動電圧調整器１０のみならず、図１５に示すように、３つの開閉器１４Ａ、１４Ｂ、１４Ｃも大きな設置スペースを必要としている。近年、自動電圧調整器１０の開発も進み、単柱装柱用の自動電圧調整器１０も実現され、それに伴って単柱装柱を可能とする開閉器１４の小型・軽量化が望まれるようになった。
【０００８】
こうして、３つの開閉器１４Ａ、１４Ｂ、１４Ｃの機能を１つの装置に集約し、配電線路１６への自動電圧調整器１０の接続を統合化する技術が開発された（例えば、特許文献１）。また、このように集約した開閉器の各開閉動作タイミングを、回動する歯車を使った簡易な構成で実現する技術も公開されている（例えば、特許文献２、３）。
【０００９】
図１６は、３つの開閉機能を一体化した場合の自動電圧調整器１０および開閉器２０の配置を説明するための配置図である。図１６（ａ）では、自動電圧調整器１０および単体の開閉器２０が単柱に装柱され、自動電圧調整器１０は、３つの開閉機能が集約された開閉器２０を通じて配電線路１６に接続されている。このように開閉器２０が一体化されることで自動電圧調整器１０や開閉器２０のメンテナンスを単純化でき、自動電圧調整器１０自体が故障した場合に自動電圧調整器１０を配電線路から容易に切り離すことができる。
【００１０】
開閉器２０は、自動電圧調整器１０の配電線路１６からの分断を遂行するが、それ自体を配電線路１６から分断する機能を有していない。従って、開閉器２０を新設したり、撤去したりする場合、図１６（ｂ）に示すように、作業者は、開閉器２０の配電線路１６負荷側の配線（活線）を直接切断して作業を行うが、開閉器２０には自動電圧調整器１０を連系するか解列するかの２つのモードが排他的に準備されているだけなので、いずれのモードにおいてもその切断された配線は通電状態のまま移動自在に垂れ下がることとなる。そこで、作業者の安全性を確保するため系統電源自体を停止するか、またはバイパス線による無停電工事（バイパスカットアウト工法）が行われる。
【００１１】
図１７は、バイパスカットアウト工法による無停電工事を説明した説明図である。ここでは、まず、対象となる開閉器２０から電源側および負荷側に延伸する両配電線路１６を、バイパス開閉器（工事用開閉器）２２を介したバイパス線２４によって接続する。そして、配電線路１６の切断点２６を決め両側をワイヤ２８で張架し、配電線路１６を切断する。こうして、２つの切断点２６間の配電線路１６を非通電状態にすることができ、開閉器２０を新設または撤去することが可能となる。
【特許文献１】特開平１１−５４０００号公報
【特許文献２】特開２００３−１６８８４号公報
【特許文献３】特開２００５−３２４９７号公報
【発明の開示】
【発明が解決しようとする課題】
【００１２】
しかし、このような開閉器２０自体の新設または撤去では、図１７を用いて説明したようにバイパス線等の複数の治具と煩雑な作業を伴うこととなる。
【００１３】
本発明は、このような課題に鑑み、作業者の安全を確保しつつ、容易な作業で迅速かつ確実に開閉器の新設または撤去を遂行することが可能な開閉器を提供することを目的としている。
【課題を解決するための手段】
【００１４】
上記課題を解決するために、本発明にかかる開閉器の代表的な構成は、配電線路の電源側端部と自動電圧調整器の１次側端子との閉路および自動電圧調整器の２次側端子と配電線路の負荷側端部との閉路と、配電線路の電源側端部および負荷側端部と当該開閉器内の中継線路両端部との閉路と、を摺動切換する第１開閉部と、中継線路自体を開閉する第２開閉部と、を備え、少なくとも、配電線路に自動電圧調整器が連系される調整器連系モードと、配電線路の端部同士を直接接続して自動電圧調整器を解列させる調整器解列モードと、配電線路の端部間を開放する線路開放モードとの３つのモードを有することを特徴とする。
【００１５】
開閉器の新設または撤去においては、開閉器の電源側端子と負荷側端子とが導通しているので、負荷側端子を分断した後も垂下した切断端の通電状態が残ってしまう。本発明では、第２開閉部によって配電線路から負荷側端子を分断することが可能なので、切断端を非通電とすることができ、作業者の安全を確保することができる。また、配電線路と負荷側端子との断路を開閉器内で遂行しているので、配電線路を切断する必要が無くなり、バイパス線を這わすことなく、縁廻し（ジャンパー）線等の簡易な構成で配電線路のバイパスを確保することが可能となり、容易な作業で迅速かつ確実に開閉器の新設または撤去を遂行することが可能となる。
【００２０】
第１開閉部は、可動接点が回転摺動または直線摺動により固定接点と接触する接点で構成されてもよい。かかる構成により、限られた占有空間における効率的な接点切換が可能となり、開閉信号に応じて確実に接点の開閉を遂行することが可能となる。
【００２１】
第２開閉部は、可動接点が回転摺動により固定接点と接触する接点、または伸縮自在に直線摺動する可動接点が固定接点と接触する接点で構成されてもよい。かかる構成により、上記第１開閉部同様、開閉信号に応じて確実に接点の開閉を遂行することが可能となる。
【発明の効果】
【００２２】
以上説明したように本発明によれば、作業者の安全を確保しつつ、容易な作業で迅速かつ確実に開閉器の新設または撤去を遂行することが可能となる。
【発明を実施するための最良の形態】
【００２３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
自動電圧調整器の保守点検時、取り替え時、故障時には、配電線路と自動電圧調整器との間に設けられた開閉器の接続関係を切り換え、需要者への給電を維持しつつ自動電圧調整器を配電線路から電気的に切り離すことができる。また、開閉器自体の新設または撤去では、縁廻し線等により需要者への給電を維持すると、開閉器内を断路して作業者の安全を確保しつつ、開閉器を切り離している。以下、このような開閉器の構成を説明し、開閉器の新設または撤去作業について詳述する。
【００２５】
（第１の実施形態：開閉器１００）
図１は、開閉器１００と自動電圧調整器１１０との配置を示した配置図である。開閉器１００は、高圧の配電線路１０２と自動電圧調整器１１０とを中継し、自動電圧調整器１１０の配電線路１０２への連系または配電線路１０２からの解列を遂行する。また、開閉器１００は、後述する第１開閉部を地上から手動で摺動する開閉操作部１２０と、後述する第２開閉部の開閉指令を受け付ける制御装置１２２に接続されている。このように２つの開閉部の切り換え方法を異ならせているのは、誤操作を回避するためであり、第１開閉部を手動としているのは、当該開閉器１００に給電されていない状況においても第１開閉部の切り換えを行うためである。
【００２６】
自動電圧調整器１１０は、変電所の送り出し電圧では調整しきれない幅の電圧降下を補償すべく、その２次側（負荷側）における高圧配電線路１０２の負荷中心点の電圧を所定の値に維持するよう、自体に設けられた調整単巻き変圧器の１次側のタップを切り替えて電圧を調整する。
【００２７】
図２は、開閉器１００の概略的な構成を示した機能ブロック図である。開閉器１００は、互いに独立して動作可能な、第１開閉部１３０と、第２開閉部１３２とを含んで構成される。
【００２８】
第１開閉部１３０は、配電線路１０２の電源側端部と自動電圧調整器１１０の１次側端子とを、および自動電圧調整器１１０の２次側端子と配電線路１０２の負荷側端部とを閉路するか、または、配電線路１０２の電源側端部および負荷側端部と開閉器１００内の中継線路１４０の両端部とを閉路する２つの接点状態を摺動切換する。第２開閉部１３２は、中継線路１４０自体を開閉する。かかる２つの開閉部（第１開閉部１３０および第２開閉部１３２）は、その接点の状態によって３つのモードを構成する。
【００２９】
図３は、第１開閉部１３０および第２開閉部１３２による３つのモードを説明するための説明図である。図３（ａ）は、調整器連系モードの接続状態を示し、ここでは、第１開閉部１３０が、配電線路１０２の電源側端部と自動電圧調整器１１０の１次側端子とを閉路し、かつ自動電圧調整器１１０の２次側端子と配電線路１０２の負荷側端部とを閉路して、配電線路１０２に自動電圧調整器１１０を連系している。
【００３０】
図３（ｂ）は、調整器解列モードの接続状態を示し、ここでは、配電線路１０２の電源側端部および負荷側端部と開閉器１００内の中継線路１４０の両端部とが閉路し、さらに第２開閉部１３２も閉路しているので、配電線路１０２の端部同士が直接接続され自動電圧調整器１１０を解列している。図３（ｃ）は、線路開放モードの接続状態を示し、ここでは、配電線路１０２の電源側端部および負荷側端部と開閉器１００内の中継線路１４０の両端部とが閉路しているが、第２開閉部１３２が開放されているので、配電線路１０２の端部間が開放（開路）することとなる。
【００３１】
通常、開閉器１００は、図３（ａ）の調整器連系モードで固定され、自動電圧調整器１１０を分断するときに調整器解列モードが、開閉器１００を分断するときに線路開放モードが選択される。
【００３２】
図４は、開閉器１００の撤去作業の流れを説明するための説明図である。ここでは、まず、自動電圧調整器１１０の解列が行われ、モードが調整器連系モードから調整器解列モードに変更される。自動電圧調整器１１０を解列し、配電線路１０２同士を開閉器１００内で直接接続させると、配電線路１０２の通電状態を維持したまま配電線路１０２を縁廻し（ジャンパー）線１６０によってバイパスする。こうして配電線路１０２の導通経路は縁廻し線１６０を経由する経路と開閉器１００の中継線路１４０を経由する経路の２本になる。
【００３３】
次に、第２開閉部１３２を開放して、調整器解列モードをさらに線路開放モードに変更する。こうして、開閉器１００の中継線路１４０は断路され、配電線路１０２の導通経路は縁廻し線１６０を経由する経路のみとなる。ここで、図中矢印で示したように開閉器１００の負荷側への接続線路を活線のまま切断すると、切断により垂下した切断端の通電状態が従来では残っていたが、本実施形態においては、開閉器１００の負荷側の線路（切断端）を非通電とすることができる。従って、作業者の安全を確実に確保することが可能となる。
【００３４】
また、本実施形態では、配電線路１０２と負荷側端子との断路を開閉器１００内で遂行しているので、従来のようにバイパス線を這わせて配電線路１０２を切断するといった作業が不要となり、縁廻し線１６０等の簡易な構成で配電線路１０２のバイパスを確保することが可能となる。従って、容易な作業で迅速かつ確実に開閉器１００の新設または撤去を遂行することが可能となる。
【００３５】
ここまで、開閉器１００の概略的な構成と、第１開閉部１３０および第２開閉部１３２の機能を述べたが、以下、第１開閉部１３０および第２開閉部１３２の具体的な構造を説明する。
【００３６】
図５は、第１開閉部１３０の具体的な構造を示した構造図である。第１開閉部１３０は、図中左右に別体で示されるブレード構造の可動接点１７０が回転摺動により固定接点１７２（１７２ａ、１７２ｂ、１７２ｃ、１７２ｄ、１７２ｅ、１７２ｆ）と接触するブレード接点で構成され、ブッシング１７４を通じて配電線路１０２や自動電圧調整器１１０に接続される。そして、調整器連系モードでは、可動接点１７０が、配電線路１０２からの固定接点１７２ａと自動電圧調整器１１０への固定接点１７２ｂおよび自動電圧調整器１１０からの固定接点１７２ｃと配電線路１０２への固定接点１７２ｄとを閉路し、配電線路１０２に自動電圧調整器１１０を連系させる。
【００３７】
また、調整器解列モードでは、可動接点１７０が左右連動して図中上方に回動し、配電線路１０２からの固定接点１７２ａと中継線路１４０への固定接点１７２ｅおよび中継線路１４０からの固定接点１７２ｆと配電線路１０２への固定接点１７２ｄとが閉路され、配電線路１０２の端部同士を直接接続して自動電圧調整器１１０を解列させる。
【００３８】
図６は、第１開閉部１３０の他の具体的な構造を示した構造図である。第１開閉部１３０は、図中左右に平行して設けられたブレード構造の２つの可動接点１７０が一体形成され、直線摺動により固定接点１７８（１７８ａ、１７８ｂ、１７８ｃ、１７８ｄ、１７８ｅ、１７８ｆ）と接触するブレード接点で構成されている。そして、図５の回転摺動同様、調整器連系モードでは、可動接点１７６が配電線路１０２からの固定接点１７８ａと自動電圧調整器１１０への固定接点１７８ｂおよび自動電圧調整器１１０からの固定接点１７８ｃと配電線路１０２への固定接点１７８ｄとを閉路し、配電線路１０２に自動電圧調整器１１０を連系させる。
【００３９】
また、調整器解列モードでは、可動接点１７６が、図中上方に直線移動して、配電線路１０２からの固定接点１７８ａと中継線路１４０への固定接点１７８ｅおよび中継線路１４０からの固定接点１７８ｆと配電線路１０２への固定接点１７８ｄとを閉路し、配電線路１０２の端部同士を直接接続して自動電圧調整器１１０を解列させる。
【００４０】
かかる構成により、限られた占有空間における効率的な接点切換が可能となり、開閉信号に応じて確実に接点の開閉を遂行することが可能となる。
【００４１】
図７は、第２開閉部１３２の具体的な構造を示した構造図である。第２開閉部１３２は、ブレード構造の可動接点１８０が回転摺動により固定接点１８２と接触するブレード接点で構成される。かかる回転摺動は、電磁石１８４および弾性体（バネ）１８６により回動するカム１８８によって為される。そして、線路開放モードでは、電磁石１８４の軸部１９０が矢印の方向に突出し、弾性体１８６の張力に反してカム１８８を図中時計回りに回動して可動接点１８０を固定接点１８２から分断する。こうして、調整器解列モードにおける配電線路１０２の電源側端部と負荷側端部との接続状態を切断し、配電線路１０２の端部間を開放することができる。また、ここでは、第２開閉部１３２の開放について述べているが、電磁石１８４の軸部１９０の縮退によって第２開閉部１３２の閉路が可能であることは言うまでもない。
【００４２】
図８は、第２開閉部１３２の他の具体的な構造を示した構造図である。第２開閉部１３２は、伸縮自在に直線摺動する可動接点１９２が固定接点１９４と接触するチューリップ接点で構成される。チューリップ接点は、気中多回路開閉器やガス多回路開閉器で用いられている。かかる直線摺動も、図７の回転摺動同様、電磁石１８４および弾性体１８６により回動するカム１８８によって為される。そして、線路開放モードでは、電磁石１８４の軸部１９０が矢印の方向に突出し、弾性体１８６の張力に反してカム１８８を図中時計回りに回動して可動接点１９２を固定接点１９４から分断する。
【００４３】
かかる構成により、上記第１開閉部１３０同様、開閉信号に応じて確実に接点の開閉を遂行することが可能となる。特に第２開閉部１３２は、負荷開閉能力を有し、中継線路１４０の導電状態を分断することが可能である。そもそも従来における自動電圧調整器１１０の開閉には負荷開閉が想定されていないので、第２開閉部１３２のような動作を遂行することができない。
【００４４】
図９は、第１開閉部１３０と第２開閉部１３２を実際に配置した例を示した説明図である。本実施形態においては、第２開閉部１３２が中継線路１４０上に配置されるため、図９に示すように第１開閉部１３０の電源側および負荷側の各固定接点の間に位置することとなり、開閉器１００中の占有空間を有効利用でき、開閉器１００の小型化を図ることができる。
【００４５】
（他の開閉器２００）
上述した開閉器１００では、第２開閉部１３２が第１開閉部１３０の間の中継線路１４０を開閉しているが、第２開閉部を第１開閉部の電源側または負荷側に挿入することができる。
【００４６】
図１０は、開閉器２００の概略的な構成を示した機能ブロック図である。開閉器２００は、上述した開閉器１００同様、互いに独立して動作可能な、第１開閉部２３０と、第２開閉部２３２とを含んで構成される。
【００４７】
第１開閉部２３０は、配電線路１０２の電源側端部と自動電圧調整器１１０の１次側端子とを、および自動電圧調整器１１０の２次側端子と配電線路１０２の負荷側端部とを閉路するか、または、配電線路１０２の電源側端部および負荷側端部と開閉器１００内の中継線路１４０の両端部とを閉路する２つの接点状態を摺動切換する。第２開閉部２３２は、当該開閉器２００内かつ第１開閉部２３０の電源側または負荷側に挿入され、配電線路１０２と第１開閉部２３０とを開閉する。かかる２つの開閉部（第１開閉部２３０および第２開閉部２３２）は、その接点の状態によって、上述した調整器連系モード、調整器解列モード、線路開放モードの３つのモードを構成する。開閉器１００における構成要素として既に述べた第１開閉部１３０と第２開閉部１３２は、開閉器２００の第１開閉部２３０と第２開閉部２３２と実質的に機能が同一であり、かつ開閉器１００における各モードの機能も等しいので重複説明を省略する。
【００４８】
かかる開閉器２００においても、上述した開閉器１００同様、作業者の安全を確保しつつ、容易な作業で迅速かつ確実に開閉器の新設または撤去を遂行することが可能となる。
【００４９】
また、開閉器１００および開閉器２００それぞれの第１開閉部として、図５および図６を用いて説明した開閉部を採用でき、また、第２開閉部として、図７および図８を用いて説明した開閉部を採用することが可能なので、ここでは、２×２×２の８通りの組合せによる開閉器を構成することができる。
【００５０】
（第２の実施形態：開閉器３００）
第１の実施形態においては、開閉器１００または開閉器２００がそれぞれ第１開閉部および第２開閉部を有していたが、かかる場合に限られず、同等の機能を第１開閉部のみで構成することも可能である。
【００５１】
図１１は、開閉器３００の概略的な構成を示した機能ブロック図である。開閉器３００は、第１開閉部３３０により構成される。第１開閉器３３０は、配電線路１０２の電源側端部と自動電圧調整器１１０の１次側端子との閉路および自動電圧調整器１１０の２次側端子と配電線路１０２の負荷側端部との閉路と、配電線路１０２の電源側端部および負荷側端部と中継線路１４０の両端部との閉路と、配電線路１０２の電源側端部および負荷側端部の開放と、を摺動切換する。
【００５２】
本実施形態の開閉器３００は、第１開閉部３３０に上述した開閉器１００、２００の第２開閉部の機能を持たせている。従って、第１開閉部３３０を摺動切り換えするだけで、上述した調整器連系モード、調整器解列モード、線路開放モードの３つのモードを切り換えることができ、構成のさらなる簡略化を図ることが可能となる。
【００５３】
図１２は、第１開閉部３３０による３つのモードを説明するための説明図である。図１２（ａ）は、調整器連系モードの接続状態を示しており、第１開閉部３３０が、配電線路１０２の電源側端部と自動電圧調整器１１０の１次側端子とを閉路し、かつ自動電圧調整器１１０の２次側端子と配電線路１０２の負荷側端部とを閉路して、配電線路１０２に自動電圧調整器１１０が連系されている。
【００５４】
図１２（ｂ）は、調整器解列モードの接続状態を示しており、配電線路１０２の電源側端部および負荷側端部と開閉器１００内の中継線路１４０の両端部とが閉路し、配電線路１０２の端部同士を直接接続して自動電圧調整器１１０を解列させる。図１２（ｃ）は、線路開放モードの接続状態を示しており、中継線路１４０といずれの接点も接触させないことで配電線路１０２の端部間を開放させる。
【００５５】
ここでは、開閉器３００の第１開閉部として、図５および図６を用いて説明した開閉部を採用することが可能なので、２通りの開閉器を構成することができる。
【００５６】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、自動電圧調整器を配電線路に挿入または配電線路から分断可能な開閉器に適用可能である。
【図面の簡単な説明】
【００５８】
【図１】第１の実施形態における開閉器と自動電圧調整器との配置を示した配置図である。
【図２】第１の実施形態における開閉器の概略的な構成を示した機能ブロック図である。
【図３】第１の実施形態における第１開閉部および第２開閉部による３つのモードを説明するための説明図である。
【図４】第１の実施形態における開閉器の撤去作業の流れを説明するための説明図である。
【図５】第１の実施形態における第１開閉部の具体的な構造を示した構造図である。
【図６】第１の実施形態における第１開閉部の他の具体的な構造を示した構造図である。
【図７】第１の実施形態における第２開閉部の具体的な構造を示した構造図である。
【図８】第１の実施形態における第２開閉部の他の具体的な構造を示した構造図である。
【図９】第１の実施形態における第１開閉部と第２開閉部を実際に配置した例を示した説明図である。
【図１０】第１の実施形態における開閉器の概略的な構成を示した機能ブロック図である。
【図１１】第２の実施形態における開閉器の概略的な構成を示した機能ブロック図である。
【図１２】第２の実施形態における第１開閉部による３つのモードを説明するための説明図である。
【図１３】従来技術における自動電圧調整器の動作を説明するための説明図である。
【図１４】従来技術における自動電圧調整器と開閉器との接続関係を示した回路図である。
【図１５】従来技術における自動電圧調整器および開閉器の配置を説明するための配置図である。
【図１６】従来技術における３つの開閉機能を一体化した場合の自動電圧調整器および開閉器の配置を説明するための配置図である。
【図１７】従来技術におけるバイパス線による無停電工事を説明した説明図である。
【符号の説明】
【００５９】
１００、２００、３００  …開閉器
１０２  …配電線路
１１０  …自動電圧調整器
１３０、２３０、３３０  …第１開閉部
１３２、２３２  …第２開閉部
１４０  …中継線路
【図１】
0005200601.tif 000002
【図２】
0005200601.tif 000003
【図３】
0005200601.tif 000004
【図４】
0005200601.tif 000005
【図５】
0005200601.tif 000006
【図６】
0005200601.tif 000007
【図７】
0005200601.tif 000008
【図８】
0005200601.tif 000009
【図９】
0005200601.tif 000010
【図１０】
0005200601.tif 000011
【図１１】
0005200601.tif 000012
【図１２】
0005200601.tif 000013
【図１３】
0005200601.tif 000014
【図１４】
0005200601.tif 000015
【図１５】
0005200601.tif 000016
【図１６】
0005200601.tif 000017
【図１７】
0005200601.tif 000018